(57)【要約】      （修正有）【課題】簡易構造でありながら、安価で耐久性のある手指消毒器用のスタンドを提供する。【解決手段】手指消毒器８０が載置される載置台６０と、載置台６０の下方に配置されるシャフト３０と、下方への操作によりシャフト３０を介して載置台６０を押し上げる操作部材４０と、載置台６０が押し上げられた際に載置台６０に載置された手指消毒器８０のポンプヘッドを上方から押えるための押え部材７０と、を具備する、薬液タンク８１の上部にプッシュ式のポンプヘッドが配設された手指消毒器用のスタンド１とする。【選択図】図１
0003158468.tif 000002
【実用新案登録請求の範囲】
【請求項１】
薬液タンクの上部にプッシュ式のポンプヘッドが配設された手指消毒器用のスタンドであって、
前記手指消毒器が載置される載置台と、
前記載置台の下方に配置されるシャフトと、
下方への操作により前記シャフトを介して、該シャフトおよび前記載置台を押し上げる操作部材と、
前記載置台が押し上げられた際に、前記載置台に載置された手指消毒器のポンプヘッドを上方から押えるための押え部材と、
を具備する、手指消毒器用のスタンド。
【請求項２】
操作部材は、上面が前記シャフトの下端に当接するようにして前記シャフトの下方に配置される押上部材を有する、請求項１に記載の手指消毒器用のスタンド。
【請求項３】
前記シャフトをその内部に配置する筒状の支柱と、
開口部を有し前記載置台を下方から受ける受け部材と、を具備し、
前記受け部材は、その開口部と前記支柱の上端部の開口と一致するようにして、前記支柱の上端部に固定して設けられる、請求項１または請求項２に記載の手指消毒器用のスタンド。
【考案の詳細な説明】
【技術分野】
【０００１】
本考案は、薬液タンクの上部にプッシュ式のポンプヘッドが配設される手指消毒器用のスタンドの技術に関する。
【背景技術】
【０００２】
従来、薬液タンクの上部にプッシュ式のポンプヘッドが配設される手指消毒器用のスタンドであって、ペダル（操作部材）が踏まれた際にクランク機構を駆動させて載置台に載置される手指消毒器のポンプヘッドを下方に押圧して、手指消毒器から薬液を噴射させる手指消毒器用のスタンドは公知となっている。例えば、特許文献１に示す如くである。
このような手指消毒器用のスタンドでは、そのクランク機構が複数のアームで構成されている。そして、ペダルが踏まれることにより当該複数のアームを回動または上下動させて、手指消毒器のポンプヘッドを下方に押圧し、手指消毒器用のポンプヘッドを手で下方に押圧することなく薬液タンク内の薬液を噴射させる。
【先行技術文献】
【特許文献】
【０００３】
【特許文献１】特開２００８−２２９２９６号公報
【考案の概要】
【考案が解決しようとする課題】
【０００４】
しかしながら、従来の手指消毒器用のスタンドでは、薬液タンク内の薬液を噴射させるための構造（クランク機構）が複雑であり、耐久性を考慮すると安価に実現し難かった。
【０００５】
本考案は、以上の如き状況を鑑みてなされたものであり、簡易構造でありながら、安価で耐久性のある手指消毒器用のスタンドを提供する。
【課題を解決するための手段】
【０００６】
本考案の解決しようとする課題は以上の如くであり、次にこの課題を解決するための手段を説明する。
【０００７】
即ち、請求項１においては、薬液タンクの上部にプッシュ式のポンプヘッドが配設された手指消毒器用のスタンドであって、前記手指消毒器が載置される載置台と、前記載置台の下方に配置されるシャフトと、下方への操作により前記シャフトを介して、該シャフトおよび前記載置台を押し上げる操作部材と、前記載置台が押し上げられた際に前記載置台に載置された手指消毒器のポンプヘッドを上方から押えるための押え部材と、を具備するものである。
【０００８】
請求項２においては、操作部材は、上面が前記シャフトの下端に当接するようにして前記シャフトの下方に配置される押上部材を有するものである。
【０００９】
請求項３においては、前記シャフトをその内部に配置する筒状の支柱と、開口部を有し前記載置台を下方から受ける受け部材と、を具備し、
前記受け部材は、その開口部と前記支柱の上端部の開口と一致するようにして、前記支柱の上端部に固定して設けられるものである。
【考案の効果】
【００１０】
本考案の効果として、以下に示すような効果を奏する。
【００１１】
即ち、本考案に係る手指消毒器用のスタンドによれば、ポンプヘッドを手で下方に押圧することなく薬液タンク内の薬液を噴射させることができる手指消毒器用のスタンドを、簡易構造で実現することができ、ひいては、耐久性を有するとともにこれを安価に実現することができる。
【図面の簡単な説明】
【００１２】
【図１】本考案の実施例に係る手指消毒器用のスタンドの全体的な構成を示した全体斜視図。
【図２】（ａ）は本考案の実施例に係る手指消毒器用のスタンドの一部拡大側面図、（ｂ）は本考案の実施例に係る手指消毒器用のスタンドの一部拡大側面図。
【図３】本考案の実施例に係る手指消毒器用のスタンドの一部拡大側面図。
【図４】本考案の実施例に係る手指消毒器用のスタンドの一部拡大正面図。
【図５】（ａ）は本考案の実施例に係る手指消毒器用のスタンドの側面模式図、（ｂ）は本考案の実施例に係る手指消毒器用のスタンドの側面模式図。
【考案を実施するための形態】
【００１３】
次に、本考案の実施形態に係る手指消毒器用のスタンド１について、図１から図５を用いて説明する。
【００１４】
手指消毒器用のスタンド１は、図１に示すように、手指消毒器８０を配置するためのスタンドであって、土台１０と、支柱２０と、シャフト３０と、操作部材４０と、受け部材５０と、載置台６０と、押え部材７０と、を具備する。
ここで、手指消毒器８０は、消毒用の薬液（例えば、アルコール）が貯溜された薬液タンク８１の上部にプッシュ式のポンプヘッド８２が配設されて構成される。そして、手指消毒器８０は、ポンプヘッド８２を上方から押圧してこれを下方に移動させることにより、ポンプヘッド８２のノズルから薬液タンク８１内の薬液を噴射させるように構成される。
【００１５】
土台１０とは、支柱２０の下方（手指消毒器用のスタンド１の構成部材の中で最も下方）に配置されて、支柱２０を支える部材である。
土台１０は、平板状の部材を平面視略梅の花形状に形成されて構成される。また、土台１０における平面視略中央部には、開口部１１が形成されている。
【００１６】
支柱２０は、円筒状の部材であって、これの下端部の開口と土台１０の開口部１１と支柱２０を一致するように、且つ土台１０の略中央部（開口部１１）から上方に延出するように土台１０に固定して設けられる。
支柱２０における後方下端部には、支柱２０内に貫通するように上下切り欠かれる切欠き孔２１が形成されている。
【００１７】
シャフト３０は、棒状の部材であって、上下移動可能に支柱２０内に配置される。
また、シャフト３０は、操作部材４０によって上方に押し上げられた際に、載置台６０を上方に押し上げる（載置台６０を上方に移動させる）部材である。
【００１８】
操作部材４０は、図１または図２に示すように、下方への操作によりシャフト３０を介して載置台６０を押し上げる部材である。操作部材４０は、操作部材本体４１の前後中途部に配置されて左右方向に軸心を有する回動軸４２を中心にして上下に回動可能なシーソー式のペダルで構成される。
また、操作部材４０は、回動軸４２より後部（操作部材４０の一方部４０ａ）を上方に付勢する弾性部材４４（バネ部材）をその内部に有する。そして、操作部材４０は、その一方部４０ａの上面が下方に押圧されて、当該操作部材４０の一方部４０ａが下方に回動するとともに回動軸４２より前部（操作部材４０の他方部４０ｂ）が上方に回動するように構成される（図２参照）。
【００１９】
操作部材４０の他方部４０ｂは、シャフト３０に当接されてこれを押し上げる押上部材４３を有する。押上部材４３は、板状に構成されて、前方に突出するように操作部材本体４１に設けられる。
そして、操作部材４０は、押上部材４３（操作部材４０の他方部４０ｂ）を支柱２０の切欠き孔２１から支柱２０内に挿入させるとともにその上面をシャフト３０の下端に当接するようにシャフト３０の下方に配置させて、土台１０上に配置される。
このように押上部材４３（操作部材４０の他方部４０ｂ）がシャフト３０の下方に位置されることにより、操作部材４０の一方部４０ａが下方に押圧されて、操作部材４０の他方部４０ｂ（押上部材４３）が上方に回動してシャフト３０を押し上げることとなる（図２（ｂ）参照）。
【００２０】
また、操作部材４０は、その一方部４０ａの上面に、これを踏むことを示唆するための踏み箇所表示４５を有する。踏み箇所表示４５は、樹脂素材からなる平板状の部材であって、その略中央部に足の裏の形をモチーフにした切り抜きが形成されて構成される（図１参照）。このように操作部材４０が踏み箇所表示４５を有することにより、手指消毒器用のスタンド１では、これの利用者に踏み箇所表示４５を踏ませることを促して、容易に操作部材４０の一方部４０ａを下方に押圧させている。
【００２１】
受け部材５０は、図１または図３に示すように、上方に開放した箱状に構成されてこれの中に配置された載置台６０を下方から受ける部材であって、平板状の部材における各縁部が上方に折り曲げられて四方に側壁が形成されるように構成される。受け部材５０における前方の側壁には位置決め孔５１・５１が形成されている。
また、受け部材５０における平面視略中央部には、開口部５２が形成されている。そして、受け部材５０は、その開口部５２と支柱２０の上端部の開口とを一致するようにして、支柱２０の上端部に固定して設けられる。
【００２２】
載置台６０は、手指消毒器８０が載置される部材であって、平面視略四角状に形成される。
載置台６０は、その下面の略中央部にシャフト３０の上端部が一体的に設けられるとともに、受け部材５０内に配置される。
このように載置台６０が構成されることにより、操作部材４０の一方部４０ａが下方に押圧されて前記押し上られたシャフト３０を介して載置台６０が押し上げられ、当該載置台６０に載置された手指消毒器８０が上方に移動することとなる（図５参照）。
【００２３】
載置台６０は、ストッパ６１を有する。ストッパ６１は、載置台６０の前部上面に立設される。また、ストッパ６１は、手指消毒器８０の薬液タンク８１の前面（少なくとも側面の一部）とストッパ６１とが当接した際に、手指消毒器８０のポンプヘッド８２とシャフト３０の軸心とを一致させて載置台６０に手指消毒器８０が載置されるように配置される。
【００２４】
押え部材７０は、前記載置台６０が押し上げられたられた際（手指消毒器８０が上方に移動した際）に、当該載置台６０に載置された手指消毒器８０のポンプヘッド８２を上方から押えるための部材であって、受け部材５０に取り付けられる。
押え部材７０は、図１、図３または図４に示すように、平板状の部材の上部が後方に折り曲げられて側面視略Ｌ字状に形成される。当該折り曲げられた部分にはリブが設けられて、押え部材７０の剛性を高めている。
押え部材７０における前記後方に延出する部分は押え部７０ａとして構成され、前記下方に延出する部分は取付け部７０ｂとして構成される。
【００２５】
押え部７０ａは、その先端部が平面視略手の平形状に形成され、当該手の平形状の略中央部には、平面視×状の切抜きが形成されて構成されている。このように押え部７０ａが構成されることにより、手指消毒器用のスタンド１では、押え部７０ａを下方に押圧することにより手指消毒器８０のポンプヘッド８２を上方から押圧するものではないことを示唆している。
取付け部７０ｂは、上下方向に切欠かれて形成される位置決め溝７１を有する。
そして、押え部材７０は、これの位置決め溝７１と受け部材５０における位置決め孔５１・５１とを一致させるとともに、上方に移動する手指消毒器８０を押え部７０ａにて上方から押えることができるような位置に押え部７０ａの高さを設定して、蝶ボルトとナットとによって受け部材５０に固定される。
【００２６】
このように押え部材７０が構成されることにより、操作部材４０の一方部４０ａが下方に押圧されて前記載置台６０が押し上げられたられた際（手指消毒器８０が上方に移動した際）に、当該手指消毒器８０のポンプヘッド８２が押え部材７０によって上方から押えられて、手指消毒器８０から薬液が噴射することとなる（図５参照）。
【００２７】
以上のように、手指消毒器用のスタンド１は、手指消毒器８０が載置される載置台６０と、載置台６０の下方に配置されるシャフト３０と、下方への操作によりシャフト３０を介して載置台６０を押し上げる操作部材４０と、前記載置台６０が押し上げられた際に載置台６０に載置された手指消毒器８０のポンプヘッド８２を上方から押えるための押え部材７０と、を具備するため、アームが具備されてこれを回動させるような構成とせずとも、ポンプヘッド８２を手で下方に押圧することなく（足で操作部材４０を踏むことにより）薬液タンク８１内の薬液を噴射させることができる。
したがって、手指消毒器用のスタンド１によれば、このような手指消毒器用のスタンドを簡易構造で実現することができ、ひいては、当該手指消毒器用のスタンドの耐久性を向上させるとともにこれを安価に実現することができる。
【００２８】
前記操作部材４０の他方部４０ｂは、上面がシャフト３０の下端に当接するようにしてシャフト３０の下方に配置される押上部材４３を有する。このため、手指消毒器用のスタンド１によれば、操作部材４０とシャフト３０とを連結する連結部材を具備することなく、このような手指消毒器用のスタンドをより簡易構造で実現することができる。
【００２９】
載置台６０は、ストッパ６１を有する。また、ストッパ６１は、手指消毒器８０の薬液タンク８１の前面（少なくとも側面の一部）とストッパ６１とが当接した際に、手指消毒器８０のポンプヘッド８２とシャフト３０の軸心とを一致させて載置台６０に手指消毒器８０が載置されるように配置される。このため、手指消毒器用のスタンド１では、手指消毒器８０が上方に移動して当該手指消毒器８０のポンプヘッド８２が押え部材７０によって上方から押えられた際における、ポンプヘッド８２の押圧不良や手指消毒器８０の転倒等が防止されている。
【００３０】
操作部材４０は、その内部に操作部材４０の一方部４０ａを上方に付勢する弾性部材４４（バネ部材）を有する。
このため、回動した操作部材４０に対するその一方部４０ａへの押圧を開放した際には、当該操作部材４０は、回動前の状態に容易に復帰するため、連続して操作部材４０を踏み込んで連続して手指消毒器８０から薬液を噴射させることができる。
【００３１】
手指消毒器用のスタンド１は、支柱２０と、受け部材５０とを具備する。支柱２０は、円筒状の部材であって、これの下端部の開口と土台１０の開口部１１と支柱２０を一致するように、且つ土台１０の略中央部から上方に延出するように土台１０に設けられる。また、受け部材５０は、その開口部５２と支柱２０の上端部の開口とを一致するようにして、支柱２０の上端部に固定して設けられる。このため、手指消毒器用のスタンド１では、受け部材５０の開口部５２、支柱２０内、および土台１０の開口部１１を介して、手指消毒器８０から噴射されて載置台６０上に残留する薬液を手指消毒器用のスタンド１の外部に排出させることができる。
【００３２】
なお、シャフト３０は、筒状に構成されても良いものとする。またこの際に、当該シャフト３０の上端部の開口に貫通するようにして載置台６０に開口を形成することにより、前記載置台６０上の開口、前記シャフト３０の筒内および前記土台１０の開口部１１を介して、手指消毒器８０から噴射されて載置台６０上に残留する薬液を手指消毒器用のスタンド１の外部に排出させることができる。
【符号の説明】
【００３３】
１  手指消毒器用のスタンド
１０  土台
２０  支柱
３０  シャフト
４０  操作部材
４０ａ  一方部
４０ｂ  他方部
６０  載置台
７０  押え部材
８０  手指消毒器用
【図１】
0003158468.tif 000003
【図２】
0003158468.tif 000004
【図３】
0003158468.tif 000005
【図４】
0003158468.tif 000006
【図５】
0003158468.tif 000007